(57)【要約】【課題】  食品を捏ねるときに手や周辺の汚れを防止できる食品用容器を提供する。【解決手段】  食品用容器１１は、硬度６０°のシリコンエラストマーより一体的に形成されており円形状の底面部１５と、底面部１５の外縁から立ち上がる側壁部１７と、側壁部１７の上縁であって対向する位置から立ち上がる１対の突出部２０及び突出部２１と、他の１対の突出部２２及び突出部２３とが設けられている。これにより突出部２０〜２３を使って食品用容器１１に収納された食品を多方面から順次押圧できる。突出部２０〜２３の各々の上縁部分の厚さは突出部２０〜２３の他の部分の厚さより大きいため、突出部２０〜２３の上縁部分を掴み易く、突出部２０〜２３を用いた作業が容易になる。側壁部１７は底面部１５との接続位置から上方に向かって外方に拡がり、その後上方向に向かって内方に狭まる形状を有するため、収納食品の飛び出しを抑制でき周辺の汚れを軽減できる。【選択図】      図１
2015093102.tif 000002
【特許請求の範囲】
【請求項１】
可撓性材料により一体的に形成された食品用容器であって、
底面部と、
前記底面部の外縁から立ち上がる側壁部と、
前記側壁部の上縁であって対向する位置から立ち上がる少なくとも１対の舌片状の突出部とを備えた、食品用容器。
【請求項２】
前記底面部は円形状を有し、
前記突出部は２対設けられ、各対は平面視において対向方向が互いに直交する、請求項１記載の食品用容器。
【請求項３】
前記側壁部は、前記底面部との接続位置から上方に向かって外方に拡がり、その後上方に向かって内方に狭まる形状を有する、請求項１又は請求項２記載の食品用容器。
【請求項４】
前記突出部の上縁部分の厚さは、前記突出部の他の部分の厚さより大きい、請求項１から請求項３のいずれかに記載の食品用容器。
【請求項５】
前記可撓性材料は、硬度６０°のシリコンエラストマーよりなる、請求項１から請求項４のいずれかに記載の食品用容器。
【発明の詳細な説明】
【技術分野】
【０００１】
この発明は食品用容器に関し、特にパン作り等の際に食品を捏ねるための食品用容器に関するものである。
【背景技術】
【０００２】
図９は特許文献１で示した食品用容器の外観形状を示した斜視図であり、図１０は図９で示した食品用容器の平面図であり、図１１は図９で示した食品用容器の使用状態の一例を示した平面図である。
これらの図を参照して、食品用容器６１は、柔軟な可撓性材料であるシリコンエラストマーにより一体的に形成されており、底面部６４と、底面部６４の外縁から立ち上がる側壁部６６とを備えた半球状のボール型を有している。側壁部６６には、その一部が突出することで舌片状の突出部６８が形成されており、突出部６８に対向する側壁部６６の上方には、突出部６８を差し込み可能な差込口６９が形成されている。食品用容器６１は、例えば食品の蒸し調理をするための容器として使用される。その際、食品（図示せず）は、底面部６４の上に載置され、突出部６８は差込口６９に差し込まれる。こうすると図１１で示したように食品の上方は側壁部６６で覆われるので、その状態のまま食品用容器６１を例えば電子レンジやコンベクションオーブンに投入し、蒸し調理を行うことができる。その他に、食品用容器６１は、例えばパン作り等の際に強力粉等の食品を捏ねるための容器として使用される。
【先行技術文献】
【特許文献】
【０００３】
【特許文献１】米国特許出願公開  第２０１２０３７６１８号明細書
【発明の概要】
【発明が解決しようとする課題】
【０００４】
しかしながら食品用容器６１を使用して食品を捏ねるには、手で直に食品に触れて食品を捏ねるために手が汚れてしまう。ここで食品用容器６１にあっては、柔軟な材料から形成されているため、側壁部６６の側から食品に力を加えれば、手で食品に触れることなく側壁部６６を介して食品を捏ねることができる。しかし、食品用容器６１は半球状のボール型であるため、側壁部６６に力を加えにくい。又、食品用容器６１に強力粉等の粉状物を投入した場合、粉が舞い易く食品用容器６１の周辺が汚れやすいとう問題がある。
【０００５】
この発明は上記のような課題を解決するためになされたもので、食品を捏ねるときに手の汚れを防止できる食品用容器を提供することを目的とする。
【課題を解決するための手段】
【０００６】
上記の目的を達成するために、請求項１記載の発明は、可撓性材料により一体的に形成された食品用容器であって、底面部と、底面部の外縁から立ち上がる側壁部と、側壁部の上縁であって対向する位置から立ち上がる少なくとも１対の舌片状の突出部とを備えたものである。
【０００７】
このように構成すると、突出部を使って収納食品を押圧できる。
【０００８】
請求項２記載の発明は、請求項１記載の発明の構成において、底面部は円形状を有し、突出部は２対設けられ、各対は平面視において対向方向が互いに直交するものである。
【０００９】
このように構成すると、収納食品を多方向から順次押圧できる。
【００１０】
請求項３記載の発明は、請求項１又は請求項２記載の発明の構成において、側壁部は、底面部との接続位置から上方に向かって外方に拡がり、その後上方に向かって内方に狭まる形状を有するものである。
【００１１】
このように構成すると、収納食品の飛び出しを抑制できる。
【００１２】
請求項４記載の発明は、請求項１から請求項３のいずれかに記載の発明の構成において、突出部の上縁部分の厚さは、突出部の他の部分の厚さより大きいものである。
【００１３】
このように構成すると、突出部の上縁部分が掴み易くなる。
【００１４】
請求項５記載の発明は、請求項１から請求項４のいずれかに記載の発明の構成において、可撓性材料は、硬度６０°のシリコンエラストマーよりなるものである。
【００１５】
このように構成すると、底面部の滑りが抑えられると共に、突出部の使用感が向上する。
【発明の効果】
【００１６】
以上説明したように、請求項１記載の発明は、突出部を使って収納食品を押圧できるため、手の汚れを防止できる。
【００１７】
請求項２記載の発明は、請求項１記載の発明の効果に加えて、収納食品を多方向から順次押圧できるため、使い勝手が向上する。
【００１８】
請求項３記載の発明は、請求項１又は請求項２記載の発明の効果に加えて、収納食品の飛び出しを抑制できるため、周辺の汚れを軽減できる。
【００１９】
請求項４記載の発明は、請求項１から請求項３のいずれかに記載の発明の効果に加えて、突出部の上縁部分が掴み易くなるため、突出部を用いた作業が容易になる。
【００２０】
請求項５記載の発明は、請求項１から請求項４のいずれかに記載の発明の効果に加えて、底面部の滑りが抑えられると共に、突出部の使用感が向上するため、より使い勝手が向上する。
【図面の簡単な説明】
【００２１】
【図１】この発明の第１の実施の形態による食品用容器の外観形状を示した斜視図である。
【図２】図１で示した食品用容器の平面図である。
【図３】図１で示した食品用容器の正面図である。
【図４】図３で示したＩＶ−ＩＶラインの断面図である。
【図５】図４で示した“ａ”部分の拡大図である。
【図６】図１で示した食品用容器に外部から力を加えたときの食品用容器の変形状態の一例を示した平面図である。
【図７】図１で示した食品用容器の使用状態の変化を示した平面図である。
【図８】図１で示した食品用容器を使用して食品を捏ねる工程を概略的に示す模式図である。
【図９】特許文献１で示した食品用容器の外観形状を示した斜視図である。
【図１０】図９で示した食品用容器の平面図である。
【図１１】図９で示した食品用容器の使用状態の一例を示した平面図である。
【発明を実施するための形態】
【００２２】
図１はこの発明の第１の実施の形態による食品用容器の外観形状を示した斜視図であり、図２は図１で示した食品用容器の平面図であり、図３は図１で示した食品用容器の正面図であり、図４は図３で示したＩＶ−ＩＶラインの断面図であり、図５は図４で示した“ａ”部分の拡大図である。
【００２３】
これらの図を参照して、食品用容器１１は、硬度６０°のシリコンエラストマーにより一体的に形成されており、円形状の底面部１５と、底面部１５の外縁から立ち上がる側壁部１７と、側壁部１７の上縁であって対向する位置から立ち上がる舌片状の突出部２０〜突出部２３とを備えている。突出部２０〜突出部２３は、図２で示したように平面視において突出部２０及び突出部２１が対向し、突出部２０及び突出部２１の対向方向に直交するようにして、突出部２２及び突出部２３が対向するように設定されている。尚、食品用容器１１の全体の厚さは、後述する突出部２０〜突出部２３の外縁部を除いて１ｍｍ程度に設定されている。
【００２４】
側壁部１７は、図１及び図３で示したように、底面部１５との接続位置から上方に向かって外方に拡がり、その後上方に向かって内方に狭まる形状を有している。より具体的には、側壁部１７は、図４で示したように、底面部１５との接続位置から上方に向かってその内径が最大Ｂとなるまで外方に拡がり、その後上方に向かってその内径がＡとなるように狭まっている。すなわち、ＡとＢとはＡ＜Ｂとなるように設定されている。
【００２５】
又、図５で示したように、突出部２２の厚さは、底面部１５側から上方に向かって徐々に厚くなるように形成されており、これにより、突出部２２の上縁部分の厚さｔ２（２．５ｍｍ程度）は、突出部２２の他の部分の厚さｔ１（１ｍｍ程度）よりも大きく設定されている。他の突出部２０、２１、２３の厚さについても突出部２２と同様に設定されている。尚、上述したように各々設定することで得られる効果については後述する。
【００２６】
図６は図１で示した食品用容器に外部から力を加えたときの食品用容器の変形状態の一例を示した平面図である。
【００２７】
図を参照して、図示しない左手で突出部２０を掴み、図示しない右手で突出部２１を掴み、食品用容器１１の内方において突出部２０と突出部２１とを接近させることで食品用容器１１に外部から力を加えると、食品用容器１１を平面視において楕円形状に近づけることができる。
【００２８】
図７は図１で示した食品用容器の使用状態の変化を示した平面図であり、図８は図１で示した食品用容器を使用して食品を捏ねる工程を概略的に示す模式図である。
【００２９】
これらの図を参照して、使用に際しては、まず図７の（１）で示したように、食品用容器１１に食品３１を収納し、左手２９で突出部２０を掴み、右手３０で突出部２１を掴む。ここで、上述のように突出部２０及び２１の各々の上縁部分の厚さｔ２は、図５で示したように突出部２０及び突出部２１の各々の他の部分の厚さｔ１より大きく設定されているため、突出部２０及び突出部２１の各々の上縁部分は左手２９及び右手３０でそれぞれ掴み易い。次に図７の（２）で示したように、左手２９及び右手３０でそれぞれ突出部２０及び突出部２１を掴んだまま、左手２９及び右手３０を食品３１の方向に向かって交互に押し下げることで、突出部２０及び突出部２１を使って食品３１を押圧する。
【００３０】
より具体的には、図８の（１）で示したように、食品用容器１１に食品３１を収納してから図示しない左手２９及び右手３０（図７参照）で突出部２０及び突出部２１をそれぞれ掴む。次に、図８の（２）で示したように、左手２９を図に示す矢印下方向に押し下げることで、突出部２０を使って食品３１を押圧する。このとき、右手３０については図に示す矢印上方向に上げる。次に、図８の（３）で示したように、右手３０を図に示す矢印下方向に押し下げることで、突出部２１を使って食品３１を押圧する。このとき、左手２９については図に示す矢印上方向に上げる。そして図８の（２）及び（３）の押圧工程を繰り返すことで、食品３１は徐々に捏ねられていく。このように食品用容器１１によれば突出部２０、２１を使って食品３１を間接的に押圧できるので、手の汚れを防止できる。
【００３１】
尚、突出部２２及び突出部２３（図１参照）についても突出部２０等と同様に使用すれば、食品３１を多方向から順次押圧できる。更に、側壁部１７は上述のように底面部１５の接続位置から上方に向かって外方に拡がり、その後上方向に向かって内方に狭まる形状を有しているため、収納された食品３１の飛び出しが抑制される。これによれば、例えば舞い上がり易い強力粉等の粉状物の食品を捏ねる場合でも、食品用容器１１の周辺の汚れを軽減できる。
【００３２】
又、食品用容器１１は硬度６０°のシリコンエラストマーよりなるため、押圧による底面部１５の滑りが押えられると共に、突出部２０〜突出部２３の使用感が良いものとなっている。尚、シリコンエラストマーの硬度は５０°〜７０°の範囲内に設定しても、底面部の滑りや突出部の使用感は良好となる。
【００３３】
尚、上記の実施の形態では、可撓性材料を所定厚さの硬度６０°のシリコンエラストマーとしているが、他の厚さでも良く、又、他の硬度を有する他の可撓性材料としても良い。
【００３４】
又、上記の実施の形態では、食品用容器は一体的に形成されているが、底面部と、側壁部と、突出部との各部分を互いに接続して形成しても良い。
【００３５】
更に、上記の実施の形態では、底面部は特定形状を有しているが、他の形状であっても良い。
【００３６】
更に、上記の実施の形態では、側壁部は特定形状を有しているが、他の形状としても良い。
【００３７】
更に、上記の実施の形態では、突出部は２対設けられているが、少なくとも１対設ければ手の汚れを防止するという効果を奏する。又、突出部が３対以上設けられた構成としても良い。
【００３８】
更に、上記の実施の形態では、突出部は特定形状を有しているが、他の形状としても良い。
【００３９】
更に、上記の実施の形態では、突出部の厚さは徐々に厚くなるように設定しているが、例えば突出部の厚さを一定とし、突出部の端部の厚さのみが突出部の他の部分の厚さよりも大きくなるように設定しても良い。又、突出部の厚さは一定となるように設定しても良い。又、突出部の厚さは徐々に薄くなるように設定しても良い。
【符号の説明】
【００４０】
１１…食品用容器
１５…底面部
１７…側壁部
２０〜２３…突出部
尚、各図中同一符号は同一又は相当部分を示す。
【図１】
2015093102.tif 000003
【図２】
2015093102.tif 000004
【図３】
2015093102.tif 000005
【図４】
2015093102.tif 000006
【図５】
2015093102.tif 000007
【図６】
2015093102.tif 000008
【図７】
2015093102.tif 000009
【図８】
2015093102.tif 000010
【図９】
2015093102.tif 000011
【図１０】
2015093102.tif 000012
【図１１】
2015093102.tif 000013